(57)【要約】【課題】  各画素の開口率を低下させない方法で、配向膜に起因する液晶の配向不良を低減することにより、高コントラスト比で明るい高品位の液晶装置を提供する。【解決手段】  本発明の液晶装置１００は、能動素子及び画素電極１１５を有する素子基板１１０と、素子基板に対向配置され画素電極に対向する対向電極１２３を備えた対向基板１２０と、素子基板と対向基板の間に配置された液晶層とを有し、素子基板及び対向基板の内面には基板表面に対して所定方位に傾斜した無機材料の柱状構造物からなる配向膜１１６，１２４を有し、液晶層は正の誘電異方性を有する液晶分子１３０ｍを主体として構成され、素子基板の配向膜１１６上における液晶分子のプレティルト角θ１が１０度以上４５度以下であり、対向基板の配向膜１２４上における液晶分子のプレティルト角θ２が０度以上１０度未満であることを特徴とする。【選択図】図６
2005173544.tif 000002
【特許請求の範囲】
【請求項１】
能動素子及びこれに導電接続された画素電極を有する素子基板と、前記素子基板に対向配置され前記画素電極に対向する対向電極を備えた対向基板と、前記素子基板と前記対向基板の間に配置された液晶層とを有する液晶装置において、
前記素子基板及び前記対向基板の内面には基板表面に対して所定方位に傾斜した無機材料の柱状構造物からなる配向膜を有し、
前記液晶層は正の誘電異方性を有する液晶分子を主体として構成され、
前記素子基板の前記配向膜上における前記液晶分子のプレティルト角が１０度以上４５度以下であり、前記対向基板の前記配向膜上における前記液晶分子のプレティルト角が０度以上１０度未満であることを特徴とする液晶装置。
【請求項２】
能動素子及びこれに導電接続された画素電極を有する素子基板と、前記素子基板に対向配置され前記画素電極に対向する対向電極を備えた対向基板と、前記素子基板と前記対向基板の間に配置された液晶層とを有する液晶装置において、
前記素子基板の内面には基板表面に対して所定方位に傾斜した無機材料の柱状構造物からなる配向膜を有し、
前記液晶層は負の誘電異方性を有する液晶分子を主体として構成され、
前記素子基板の前記配向膜上における前記液晶分子のプレティルト角が８５度以上９０度未満であることを特徴とする液晶装置。
【請求項３】
前記配向膜が斜方蒸着法によって形成されたことを特徴とする請求項１又は２に記載の液晶装置。
【請求項４】
前記配向膜が異方性スパッタ法によって形成されたことを特徴とする請求項１又は２に記載の液晶装置。
【請求項５】
前記配向膜を形成する材料がＳｉＯ、ＳｉＯ2、ＳｉＮ、ＭｇＯ、ＭｇＦ2、Ａｌ2Ｏ3、ＴｉＯ2の少なくとも一つを含むことを特徴とする請求項１又は２に記載の液晶装置。
【請求項６】
前記素子基板における前記配向膜の下地表面には平坦化処理が施されていることを特徴とする請求項１又は２に記載の液晶装置。
【請求項７】
前記画素電極と前記対向電極の平面的に重なる領域として構成される画素領域の表面段差が１μｍ以下になるよう、前記平坦化処理を施されたことを特徴とする請求項６に記載の液晶装置。
【請求項８】
前記フレーム反転駆動で駆動する液晶駆動手段を有することを特徴とする請求項１乃至７のいずれか一項に記載の液晶装置。
【請求項９】
請求項１乃至８のいずれか一項に記載の液晶装置を表示体として備えた電子機器。
【発明の詳細な説明】
【技術分野】
【０００１】
本発明は液晶装置及び電子機器に係り、特に、能動素子に接続された画素電極を有する液晶装置の構成に関する。
【背景技術】
【０００２】
一般に、液晶表示装置は、一対の基板間に液晶が挟持されてなるパネル構造を有し、この液晶の初期配向状態は、液晶分子の特性と、基板の液晶側の表面上に形成された配向膜の特性により規制される。この配向膜としては、通常、ポリイミドなどの高分子膜の表面を布によって擦るラビング処理を施すことで、所定方向に配向性を有する配向性有機膜が用いられる。しかしながら、この種の高分子膜は耐熱性や耐光性に劣る場合があり、また、ラビング処理において塵埃が発生するため、この塵埃によって配向不良が発生することがある。さらに、基板の表面に段差があるとラビング処理が施されない部分が発生しやすいため、これによっても配向不良が生ずる場合がある。このような配向不良は、白表示における透過率の低下や黒表示における光漏れなどを招来するので、表示画像のコントラストの低下につながる。
【０００３】
特に、ＴＦＴアクティブマトリクス型の液晶表示装置の場合には、ＴＦＴアレイが形成された素子基板上に、走査線、データ線、容量線等の各種配線や画素電極をスイッチング制御するためのＴＦＴなどの構造要素が形成されているため、これらの構造要素を含む複雑な層構造に起因して配向膜の表面に段差が生じやすい。したがって、素子基板上に形成された配向膜の不良に起因するコントラストの低下が大きな問題点となる。
【０００４】
そこで、素子基板の表面部分（例えば配線が通過する領域など）を極力平坦に構成するとともに、上記のＴＦＴが形成されている素子形成領域に対応させて対向基板又は素子基板に遮光膜を形成し、上記の段差による配向不良が表示に寄与しないように構成する場合がある（例えば、特許文献１及び２参照）。また、上記と同様に素子基板の表面部分を極力平坦化すると同時に、隣接する画素電極下に重なるようにパターン膜を形成することによって画素間領域に臨む両側の画素電極の端縁を高く構成することにより、画素電極の端縁と対向基板との間に生ずる縦電界を横電界よりも強くして、横電界による影響を低減する場合がある（例えば、特許文献３参照）。
【０００５】
他方、一般にこの種の液晶表示装置では、直流電圧印加による液晶等の液晶の劣化を防止する観点で、各画素電極に印加される電位極性を周期的に反転させる反転駆動方式が採用されている。この反転駆動方式としては、１フレーム期間においては各画素に同極性の電位を供給するが、フレーム周期毎に各画素の電位極性を反転させるフレーム反転駆動方式と、これと同様にフレーム周期毎に各画素の電位極性を反転させるが、１フレーム期間において画素行（ライン）の供給電位が交互に反転した状態とする１Ｈ反転駆動方式（ライン反転駆動方式）と、１フレーム期間において画素列（コラム）の供給電位が交互に反転した状態とする１Ｓ反転駆動方式（コラム反転駆動方式）などが知られている。上記のフレーム反転駆動方式には液晶材料の寿命が長くなると言う利点があるが、隣接する画素間のクロストークなどに起因してフリッカが発生し、表示品位が低下することがあるので、上記１Ｈ反転駆動方式や１Ｓ反転駆動方式が広く用いられている。
【特許文献１】特開２００１−１６６３１１号公報
【特許文献２】特開２００１−１６６３１２号公報
【特許文献３】特開２００１−１６６３３７号公報
【発明の開示】
【発明が解決しようとする課題】
【０００６】
ところで、上記従来のアクティブマトリクス型の液晶表示装置では、段差の大きい領域、例えば素子形成領域を遮光膜で覆い隠すことにより、画素の開口率の向上が妨げられるという問題点がある。特に、近年においては画面の高精細化が進み、これに伴って画素ピッチが小さくなりつつあるところ、能動素子の小型化や配線の細幅化は困難であるため、画素面積に対する上記素子形成領域などの遮光面積の割合が増大して開口率が低下しつつある。したがって、上記のような遮光による配向不良対策は今後ますます採用しにくい状況になるものと考えられる。
【０００７】
他方、液晶表示装置の駆動方式として前述の１Ｈ反転駆動方式や１Ｓ反転駆動方式を採用すると、フレーム内の画素行若しくは画素列間において常に逆極性の電位が印加されることになるので、相隣接する画素電極間に生じる横電界によって液晶のディスクリネーションが生じ、この部分における透過率の低下や光抜け等が発生して表示画像のコントラストが低下してしまうという問題がある。この点を改善するために、上記と同様に画素間領域を遮光膜で覆い隠すことは可能であるが、これは上述の通り開口率を維持し或いは向上することには逆行するものである。また、上記と同様に、液晶表示装置の高精細化が進み、画素ピッチが狭小化するほど、隣接する画素電極間の距離も小さくなるので、上記の横電界の強度及びその影響は大きくなる。
【０００８】
そこで、本発明は上述の問題点に鑑みなされたものであり、その課題は、各画素の開口率を低下させない方法で、配向膜に起因する液晶の配向不良を低減することにより、高コントラスト比で明るい高品位の液晶装置を提供することにある。
【課題を解決するための手段】
【０００９】
上記課題を解決するために、本発明の第１の液晶装置は、能動素子及びこれに導電接続された画素電極を有する素子基板と、前記素子基板に対向配置され前記画素電極に対向する対向電極を備えた対向基板と、前記素子基板と前記対向基板の間に配置された液晶層とを有する液晶装置において、前記素子基板及び前記対向基板の内面には基板表面に対して所定方位に傾斜した無機材料の柱状構造物からなる配向膜を有し、前記液晶層は正の誘電異方性を有する液晶分子を主体として構成され、前記素子基板の前記配向膜上における前記液晶分子のプレティルト角が１０度以上４５度以下であり、前記対向基板の前記配向膜上における前記液晶分子のプレティルト角が０度以上１０度未満であることを特徴とする。
【００１０】
この発明によれば、基板表面に対して所定方位に傾斜した無機材料の柱状構造物からなる配向膜を用いることにより、上述の配向性高分子膜を用いる場合に問題となるラビング時の塵埃が発生しない分、当該塵埃に起因する配向不良を低減できる。また、この種の配向膜は膜の形成条件によって液晶分子のプレティルト角を容易にコントロールできる（プレティルト角を容易に大きく設定できる）ため、後に述べるように横電界による配向ひずみの影響を軽減することが可能である。このような配向膜は、ＳｉＯなどの無機材料を斜方蒸着法に基板上に蒸着することにより形成できる。ＳｉＯで傾斜した柱状構造物が配列されてなる配向膜を形成することで、水平配向モードにおいて好適なプレティルト角を容易に設定でき、プレティルト角の制御性も良好になる。無機材料の傾斜した柱状構造物は、前述の斜方蒸着法のみならず、イオンビームスパッタやミラートロンスパッタ等の異方性スパッタ法によっても形成する事ができる。
【００１１】
本発明の液晶装置では、正の誘電異方性を有する液晶分子を主体として液晶層が形成されているので、液晶層の厚さ方向に印加される縦電界によって液晶分子の長軸が当該縦電界の方向に配向される。この種の水平配向モードでは、液晶のプレティルト角が小さすぎると、縦電界の印加時にリバースティルトが発生しやすくなり、ディスクリネーションによる明暗の顕著なムラが現れ、コントラスト比の低下や残像などの表示特性の悪化の原因になる。また、プレティルト角が大きくなると、上記問題は少なくなるが、電圧無印加状態における光学特性の不良（白表示時の光透過率の低下など）が発生し、コントラストが低下する。したがって、液晶のプレティルト角が小さくても大きくてもコントラストの低下につながる。
【００１２】
上記の水平配向モードでは、素子基板の配向膜上における液晶分子のプレティルト角は１０度以上４５度以下であることが好ましい。このプレティルト角が１０度以上になると、隣接する画素電極による横電界の影響を受けにくくなる。これは、プレティルト角が或る程度大きい場合には、縦電界の印加時において液晶分子が縦電界に沿って配向しやすくなるので、横電界が存在しても液晶分子の配向方向に影響が生じにくいからである。ただし、このプレティルト角が４５度を越えると、上述のように電圧無印加状態の光学特性の悪化により、却ってコントラストが低下する。
【００１３】
一方、対向基板の配向膜上における液晶のプレティルト角は、０度以上１０度以下であることが好ましい。対向基板の配向膜上におけるプレティルト角は、隣接画素の横電界の影響を考慮する必要がないため、素子基板上のプレティルト角より小さくすることができ、かつ、素子基板上のプレティルト角が大きい場合にはこれによる電圧無印加時における光学特性の不良を補うために小さくすることが有効であるが、１０度を越えると上記の利点がなくなる。
【００１４】
また、本発明の第２の液晶装置は、能動素子及びこれに導電接続された画素電極を有する素子基板と、前記素子基板に対向配置され前記画素電極に対向する対向電極を備えた対向基板と、前記素子基板と前記対向基板の間に配置された液晶層とを有する液晶装置において、前記素子基板の内面には基板表面に対して所定方位に傾斜した無機材料の柱状構造物からなる配向膜を有し、前記液晶層は負の誘電異方性を有する液晶分子を主体として構成され、前記素子基板の前記配向膜上における前記液晶分子のプレティルト角が８５度以上９０度未満であることを特徴とする。
【００１５】
この発明によれば、基板表面に対して所定方位に傾斜した無機材料の柱状構造物からなる配向膜を用いることにより、上述の配向性高分子膜を用いる場合に問題となるラビング時の塵埃が発生しない分、当該塵埃に起因する配向不良を低減できる。また、この種の配向膜は膜の形成条件によって液晶分子のプレティルト角を容易にコントロールできる（プレティルト角を容易に大きく設定できる）ため、後に述べるように横電界による配向ひずみの影響を軽減することが可能である。このような配向膜は、ＳｉＯ2などの無機材料を斜方蒸着法に基板上に蒸着することにより形成できる。ＳｉＯ2で傾斜した柱状構造物が配列されてなる配向膜を形成することで、垂直配向モードにおいて好適なプレティルト角を容易に設定でき、プレティルト角の制御性も良好になる。無機材料の傾斜した柱状構造物は、前述の斜方蒸着法のみならず、イオンビームスパッタやミラートロンスパッタ等の異方性スパッタ法によっても形成することができる。
【００１６】
誘電異方性が負である液晶を用いる垂直配向モードの液晶層を有する場合には、プレティルト角が小さいと、電界無印加時において液晶分子の長軸が垂直方向に対して大きく傾斜した姿勢となるため、液晶層において旋光性或いは複屈折性などの光変調が生ずることから、黒表示の光漏れを招きコントラストが低下する。逆にプレティルト角が大きいと、上記の配向膜の配向規制力が小さいことから電界印加時において液晶分子の倒れる方位がばらついてディスクリネーションが発生する。すなわち、この垂直配向モードにおいても、プレティルト角が小さすぎても大きすぎてもコントラストが低下する。
【００１７】
この垂直配向モードでは、素子基板上のプレティルト角は８５度以上９０度未満であることが好ましい。このプレティルト角が８５度未満であると、電界無印加時において液晶分子の光学異方性による光変調度合が大きくなり、コントラストが低下する。一方、プレティルト角が９０度になると、電圧印加時にディスクリネーションによりコントラストが低下する。特に、このディスクリネーションはプレティルト角が大きいことに起因するだけでなく、隣接画素との間に生ずる横電界の影響を受けて液晶分子の長軸が立ち上がりやすくなることにも起因する。特に、上記プレティルト角は８７度より大きく、８９度未満であることがより望ましい。
【００１８】
上記のいずれの発明においても、前記素子基板における前記配向膜の下地表面には平坦化処理が施されていることが好ましい。素子基板の下地表面の段差を平坦化することにより、基板上表面の段差に起因する配向膜の形成不良を防止することができる。特に、このように平坦化された下地表面上に斜方蒸着法を用いて上記の配向膜を形成する場合においては、配向規制力のばらつきの少ない良質の配向膜を形成することができる。また、このように素子基板の表面が平坦になるほど、隣接画素電極間の横電界の影響は大きくなるので、上記の素子基板上のプレティルト角の構成要件は特に効果的である。
【００１９】
上記の平坦化処理としては、例えば、画素電極の下層に絶縁層を形成した構造では、この絶縁層を無機絶縁膜とし、その表面を化学機械研摩などによって平坦化すること、或いは、上記絶縁層を有機高分子膜とし、スピンコーティングなどによって塗布することによって平坦化することなどが挙げられる。また、電極を形成する材料そのものに平坦化処理を施してもよく、あるいは電極上に膜を形成してその表面に平坦化処理を施しても良い。上記のように平坦化処理を受けた下地表面により、前記画素電極と前記対向電極の平面的に重なる領域として構成される画素領域における上記配向膜の表面段差量は１μｍ未満であることが好ましく、特に０．５μｍ以下であることが望ましい。
【００２０】
また、上記のいずれの発明においても、前記フレーム反転駆動で駆動する液晶駆動手段を有することが好ましい。１Ｈ反転駆動方式や１Ｓ反転駆動方式のように、隣接する画素行間、或いは、隣接する画素列間の供給電位が相互に逆極性である場合には、隣接する画素行若しくは画素列に属する画素電極間に定常的に大きな横電界が発生するため、ディスクリネーションによりコントラストが低下してしまうのに対して、フレーム反転駆動方式では、各画素のオンオフ状態や階調表示状態などに起因する小さな横電界の発生は生じ得るが、反転駆動に伴う大きな横電界の発生がないため、コントラストを高め、高画質化を実現することができる。
【００２１】
さらに、本発明の電子機器は、上記いずれかの液晶装置を表示体として有することを特徴とする。本発明の液晶装置は表示体として用いられる場合に限られないが、特に、電子機器に表示体として搭載されることが好ましい。特に、液晶プロジェクタなどの投射型表示装置や携帯電話などの携帯型電子情報端末などの透過型表示体として用いると、その表示品位の高さを有効に発揮することができる。
【発明を実施するための最良の形態】
【００２２】
以下、本発明の実施形態を図面に基づいて説明する。以下に説明する各実施形態は、本発明の液晶装置を液晶表示装置に適用したものである。また、以下に図面を参照しつつ各実施形態を説明するが、各図においては、各層や各部材を認識可能な程度の大きさとするため、適宜に各層や各部材毎に縮尺を異ならせて描いてある。
【００２３】
［第１実施形態］
最初に、本発明に係る第１実施形態における液晶表示装置の概略構成について説明する。図１は、本実施形態の液晶装置１００のパネル構造の概略平面透視図、図２は、同パネル構造の概略縦断面図である。
【００２４】
この液晶装置１００は、図１及び図２に示すように、ガラスやプラスチックなどからなる基板１１１と基板１２１とがシール材１３を介して所定の間隙（セルギャップ）を有するように貼り合わせられ、シール材１３によって画成された液晶配置領域内に液晶１３０が配置（封入）されてなる。液晶１３０はシール材１３に設けられた液晶注入口１３ａから注入され、その後、液晶注入口１３ａは樹脂などからなる封止剤１５によって封鎖される。シール材１３としてはエポキシ樹脂などの光硬化性樹脂その他の各種の樹脂を用いることができる。セルギャップ（基板間隔、或いは、液晶層の厚さ）を確保するために、シール材１３内にセルギャップに相当する粒径（約２〜１０μｍ）を備えたスペーサ（無機或いは有機質のファイバ若しくは球体）が混入されることが好ましい。
【００２５】
基板１１１は基板１１２よりも若干大きな表面積を備えており、液晶配置領域内の内面上に多数の画素に対応して配線層、透明電極、ＴＦＴ（薄膜トランジスタ）やＴＦＤ（薄膜ダイオード）などの能動素子が形成されている。基板１２１の内面にも画素に対応する配線層や透明電極が形成されている。基板１２１の内面上には、シール材１３の形成領域の内側において、画素が配列されてなる液晶駆動領域を取り巻くように周回状に形成された遮光膜１２２が形成されている。
【００２６】
基板１１１の内面上におけるシール材１３の形成領域の外側には、基板１１１及び１２１の内面上に形成された配線層に導電接続された配線パターン１１１ａが形成されており、この配線パターン１１１ａに合わせて集積回路チップなどからなる走査線駆動回路１７及びデータ線駆動回路１８が実装されている。さらに、透明基板１１１の一側の外縁部には多数の外部端子１９が配列した外部端子部１１１ｂが構成されており、この外部端子部１１１ｂに対して異方性導電膜などを介してフレキシブル配線基板などの配線部材１６が導電接続されている。
【００２７】
液晶１３０は、ＴＮ型や垂直配向型などのように、電界を印加するとその誘電異方性によって液晶分子の姿勢が変化し、これに伴ってその光学異方性によって光学状態が変化する各種モードの液晶層を構成している。上記液晶装置１００では、使用する液晶１３０の種類、動作モード、表示モード（ノーマリーホワイト、ノーマリーブラック）等に応じて、偏光フィルム、位相差フィルム、偏光板などが所定方位に向けた姿勢にて取り付けられる。なお、図２には、基板１１１及び１２１の外面上に配置された偏光板１１０ｐ及び１２０ｐのみを示してある。
【００２８】
図３には、液晶装置１００においてＴＦＴを用いたアクティブマトリクス型の液晶パネルを構成する場合の液晶パネルの拡大部分断面図を示し、図４には、この場合の素子基板１１０の平面配置図を示す。図３に示すように、素子基板１１０には、基板１１１上にＴＦＴ１１２や画素電極１１５などが形成されている。具体的には、基板１１１上には下地絶縁膜１１１Ｘが形成され、この上にＴＦＴ１１２が形成されている。このＴＦＴ１１２は、図４に示す走査線１１７に導電接続されたＴａなどで構成されたゲート１１２ａと、このゲート１１２ａの下層に隣接配置されたＳｉＯ2などで構成された絶縁薄膜１１２ｂと、この絶縁薄膜１１２ｂを挟んで上記ゲート１１２ａと対向配置されたポリシリコンなどで構成される半導体層１１２ｃとを有する。半導体層１１２には、ゲート１１２ａに対向する部分がチャネル領域となり、その左半部にソース領域が構成され、層間絶縁膜１１２Ｘを通してソース電極１１２ｄに接合している。また、チャネル領域の右半部にはドレイン領域が構成され、層間絶縁膜１１２Ｘを通してドレイン電極１１２ｅに接合している。
【００２９】
図４に示すように、基板１１１上には走査線１１７とデータ線１１８が縦横にそれぞれ並列するように形成され、走査線１１７は画素毎に形成されたＴＦＴ１１２のゲート１１２ａに導電接続され、データ線１１８はＴＦＴ１１２のソース電極１１２ｄに導電接続されている。ＴＦＴ１１２のドレイン電極１１２ｅは絶縁層１１３に形成された開口１１３ａを通して上層の画素電極１１５に電気的に接続されている。また、半導体層１１２ｃのドレイン領域は、図４に示す容量線１１９の一部である保持電極１１２ｆと対向配置され、容量線１１９との間に保持容量を構成している。
【００３０】
絶縁層１１３はアクリル樹脂などの合成樹脂やＳｉＯ2などの無機材料で構成されている。絶縁層１１３は上記ＴＦＴ１１２の上にも形成されている。絶縁層１１３の表面には平坦化処理が施されている。例えば、絶縁層１１３が合成樹脂で構成される場合には、未硬化の樹脂を塗布し、スピンコーティング法などによって平坦化する。また、絶縁層１１３が無機材料で構成される場合には、無機材料に対するエッチング機能を有する薬剤を供給しながら研摩パッドを当てて回転させるなどの方法で、化学機械研摩が施される。このような平坦化処理により、絶縁層１１３の表面の段差量は１μｍ以下、好ましくは０．５μｍ以下に低減される。また、電極を形成する材料そのものに平坦化処理を施してもよく、あるいは電極上に膜を形成してその表面に平坦化処理を施しても良い。平坦化処理は、少なくとも画素を構成する領域、即ち画素電極１１５と後述する対向電極１２３の平面的に重なる領域（アクティブエリア）に施されていれば良く、アクティブエリアの周辺部分には必ずしも必要ではない。また、隣接する画素同士の間隔部分（画素間）が電極表面よりもへこんでいる分には、配向膜形成に何ら影響を及ぼさないので、この場合は段差とはみなさない。
【００３１】
次に、上記の絶縁層１１３の上にはＩＴＯなどの透明導電体で構成される画素電極１１５が形成される。この画素電極１１５の上には配向膜１１６が形成される。この配向膜１１６は、図８（ａ）に示すように、基板１１１の表面に対して所定方位に傾斜してなる柱状構造物１１６ｓを配列させてなる無機配向膜である。この配向膜１１６の表面も、上記絶縁層１１３の平坦性を反映して段差量が１μｍ以下、好ましくは０．５μｍ以下に構成されることが好ましい。
【００３２】
配向膜１１６は、図１３に示す斜方蒸着法によって斜方蒸着膜として形成することができる。すなわち、チャンバ５の内部を減圧状態とし、蒸発源６に無機材料を配置して加熱するなどの方法で蒸散させる。チャンバ５内には蒸発源６に対して傾斜した姿勢で基板１が配置され、この基板１の基板面に対して所定の蒸着角度で無機材料を蒸発させる。ここで、６ｘは無機材料の飛行方向、１ｄｘは基板１上に形成される上記柱状配向物の傾斜方位である。蒸着角度αは基板１の表面と無機材料の飛行方向６ｘのなす角で定義される。配向膜１１６を構成する無機素材としては、ＳｉＯ、ＳｉＯ2、ＳｉＮ、ＭｇＯ、ＭｇＦ2、Ａｌ2Ｏ3、ＴｉＯ2などが挙げられる。これらの材料を用いて配向膜を形成するにあたっては、単一の材料を使用するか、あるいは液晶の電気特性を調整する目的で異なる材料の多層膜を用いたり、上下の基板で異なる材料を用いることもできる。この斜方蒸着法における蒸着角度は、例えば基板表面に対して５〜４５度程度である。本実施形態のような水平配向モードにおいては、蒸着角度は５〜３０度程度となる。また、後述する第２実施形態のような垂直配向モードにおいては、蒸着角度は３０〜４５度程度となる。蒸着角度とプレティルト角の関係は、使用する材料や膜厚にも依存するのでこの限りではない。
【００３３】
配向膜１１６の膜厚は、例えば５０〜２０００Å程度である。この膜厚は図８（ａ）に示す配向膜の凹凸構造を平均化したときの数値を示している。配向膜１１６の配向規制力は主として無機材料の種類や蒸着角度に大きな影響を受けるので、後述する配向膜１１６上のプレティルト角は、配向膜１１６の無機材料及び蒸着角度を適宜に設定することによって制御することができる。
【００３４】
一方、対向基板１２０は基板１２１上に対向電極１２３が形成されてなる。具体的には、基板１２１上には、上記のＣｒ、Ａｌ等の金属や黒色樹脂などで遮光膜１２２が形成されている。この遮光膜１２２は、図１に示すように液晶駆動領域の周縁部に形成される他に、各画素の間の領域や上記ＴＦＴ１１２の形成される素子形成領域Ｓを覆うように形成される。また、基板１２１の上にはＩＴＯなどの透明導電体で構成された対向電極１２３が形成される。そして、この対向電極１２３の上には配向膜１２４が形成される。
【００３５】
この配向膜１２４は、上記配向膜１１６と同様に、基板１２１の表面に対して所定方位に傾斜してなる柱状構造物を配列させてなる無機配向膜で構成される。配向膜１２４による液晶１３０の初期配向の方位角は、配向膜１１６による液晶１３０の初期配向の方位角とは通常異なる。例えば、液晶１３０がＴＮモードの液晶層を構成する場合、両配向膜による液晶分子の初期配向方位は相互に約９０度の角度差を有する関係にある。
【００３６】
上記の素子基板１１０と対向基板１２０とは、図１及び図２に示すシール材１３を介して貼り合わされ、圧着されることによって所定の基板間隔を有するように接着される。このとき、両基板間やシール材１３の内部にスペーサを配置しておくことにより、このスペーサによって基板間隔が規制される。その後、後述する液晶注入工程が実施されることにより、図１及び図２に示すパネル構造が形成される。
【００３７】
図５は、本実施形態の素子基板１１０の電気的構成を示す等価回路図である。ＴＦＴ１１２のゲートは走査線１１７に、ソースはデータ線１１８に、ドレインは上記画素電極１１５にそれぞれ接続されている。また、半導体層１１２ｃのドレイン領域及び容量線１１９に設けられた保持電極１１２ｆの対向配置構造で構成される保持容量により、画素電極１１５への供給電位が保持されるように構成されている。
【００３８】
液晶装置１００を駆動する際には、データ線１１８に画像信号Ｓ１、Ｓ２、…、Ｓｎが供給される。これらの画像信号は、データ線１１８の配列順に線順次に供給されるように構成しても構わないし、相隣接する複数のデータ線１１８同士に対して、グループ毎に供給されるようにしても良い。また、走査線１１７には、所定のタイミングでパルス的に走査信号Ｇ１、Ｇ２、…、Ｇｍが供給される。走査信号は、走査線１１７の配列順に線順次で印加するように構成されている。この走査信号によってスイッチング素子であるＴＦＴ１１２は一定期間だけ閉成され、この期間においてデータ線１１８から供給される画像信号Ｓ１、Ｓ２、…、Ｓｎが所定のタイミングで画素電極１１５に書き込まれる。画素電極１１５に書き込まれた所定レベルの画像信号Ｓ１、Ｓ２、…、Ｓｎは、対向基板１２０に形成された対向電極１２４との間に所定の縦電界を発生させ、一定期間保持される。ここで、液晶は、画像信号の電位にレベルに応じて階調駆動される。ここで、上記の保持容量は、次の書き込みタイミングまでの間、画素電極１１５に保持された画像信号がリークするのを防ぐ。
【００３９】
図６は、本実施形態における液晶セル構造を模式的に示す概略説明図である。なお、本実施形態はＴＮモードの液晶層を前提としているが、図６では液晶分子のツイスト状態を省略して示す。ここで、図６の左半部は電界無印加状態を示し、右半部は電界印加状態を示す。
【００４０】
本実施形態では、電界無印加状態において、素子基板１１０に設けられた配向膜１１６上における液晶分子１３０ｍのプレティルト角θ１は１０度以上４５度以下となっている。また、対向基板１２０に設けられた配向膜１２４上において、液晶分子１３０ｍのプレティルト角θ２は０度以上１０度未満となっている。本実施形態では、プレティルト角θ１はプレティルト角θ２よりも大きい。
【００４１】
本実施形態において、素子基板１１０側のプレティルト角θ１は１０度以上と比較的大きいが、対向基板１２０側のプレティルト角θ２は１０度未満となっているため、電界無印加状態では、プレティルト角に起因する光変調、すなわち、旋光性や複屈折を抑制することができる。したがって、ノーマリ−ホワイトモードであれば、電界無印加状態における透過率の低下（白表示の白色度の低下）を抑制でき、また、ノーマリーブラックモードであれば、電界無印加状態における光漏れ（黒表示の黒色度の低下）を抑制できる。
【００４２】
一方、電界印加状態では、画素電極１１５と対向電極１２３との間に印加される縦電界Ｅｐにより、正の誘電異方性を有する液晶分子１３０ｍはその分子軸（長軸）が垂直方向に向くように配向する。このとき、上記の初期配向状態では素子基板１１０側のプレティルト角θ１が対向基板１２０側のプレティルト角θ２より大きく構成されているので、素子基板１１０側にある液晶分子１３０ｍの方が、対向基板１２０側にある液晶分子１３０ｍよりも垂直姿勢になりやすいため、より垂直姿勢に近い状態になる。したがって、隣接する画素電極１１５間にて発生する横電界Ｅｔによる液晶分子１３０ｍの配向への影響を低減することができる。すなわち、素子基板１１０の近傍において、電界印加時における横電界Ｅｔに起因するディスクリネーションを抑制することができる。
【００４３】
本実施形態において、プレティルト角θ１が１０度を越えると、横電界Ｅｔによる影響をほとんどなくすことができる。一方、プレティルト角θ２は１０度未満であるため、プレティルト角の大きさによるコントラストの低下を抑制できる。ただし、プレティルト角θ１が４５度を越えると、配向規制力も低下してディスクリネーションが生ずるなど、コントラストの低下を抑制することは難しくなる。
【００４４】
この第１実施形態による効果を確認するために、上記の構成を有するＴＮモードの液晶層を有する液晶表示パネルを作成した。配向膜１１６は、図１３に示す斜方蒸着法を用いて無機材料としてＳｉＯにより形成した。蒸着角度は３〜１０度（典型的には約５度）とし、その結果、プレティルト角θ１は約２０〜３０度（典型的には約２５度）となった。一方、配向膜１２４は、基板面に対する蒸着角度を約２５〜３０度（典型的には約３０度）とし、同様にＳｉＯを蒸着した結果、図８（ｃ）に示すように液晶分子の方位角が蒸着方向とほぼ直行する方向に配列し、プレティルト角θ２は０〜５度（典型的には約０度）となった。この液晶パネルを、プレティルト角θ１及びθ２を５度とし、他の条件を上記と同様に構成した場合に較べると、白表示における透過率が約２０％向上した。
無機材料としてＡｌ2Ｏ3を用いた場合にも、ほぼ上述と同様な効果が確認できた。
【００４５】
本実施形態の液晶装置１００は、フレーム反転駆動方式で駆動することが好ましい。従来広く用いられていた上述の１Ｈ反転駆動方式では、図９（ａ）と（ｂ）に示すようにフレーム周期で画素１０９に印加される電位の極性が反転するが、各フレーム期間内において画素行（ライン）Ｌ１，Ｌ２，Ｌ３，・・・毎に画素電極１０９に印加される電位の極性が交互に反転しているため、隣接する画素行（ライン）に属する画素電極間において常時大きな横電界が発生する。また、図示しないが、１Ｓ反転駆動方式では、各フレーム期間において、上記の画素行（ライン）Ｌ１，Ｌ２，Ｌ３，・・・の代わりに、画素列（コラム）Ｃ１，Ｃ２，Ｃ３，・・・毎に画素電極に印加される電位の極性が交互に反転しているため、隣接する画素列（ライン）に属する画素電極間において常時大きな横電界が発生する。
【００４６】
これに対して、本実施形態で用いられるフレーム反転駆動方式では、図１０（ａ）及び（ｂ）に示すように、１フレーム期間において各画素電極１１５に同極性の電位が供給され、その供給電位の極性がフレーム周期毎に反転するように駆動される。したがって、隣接する画素電極間の横電界は、隣接画素間でオンオフ状態が異なる場合や、駆動の階調制御状態が異なる場合にのみ発生し、その電界強度も小さい。このように、フレーム反転駆動方式を採用すると、１Ｈ反転駆動方式や１Ｓ反転駆動方式を採用する場合に較べて大きな横電界の常時発生がなく、横電界Ｅｔを小さくすることができるため、横電界によるディスクリネーションの影響を低減することができ、コントラストを高めることができる。また、これによって画素間領域において遮光膜１２２などによって遮光しなければならない範囲が削減されるので、より開口率の高いパネル構造を構成できる。
【００４７】
［第２実施形態］
次に、図７を参照して本発明に係る第２実施形態について説明する。この実施形態の液晶装置は、図１乃至図５に示す上記第１実施形態と同様の基本構造及び駆動方式を有するので、同一部分には同一符号を付し、それらの説明は省略する。本実施形態が第１実施形態と異なる点は、配向膜１１６′及び配向膜１２４′並びに液晶である。
【００４８】
本実施形態の配向膜１１６′は、第１実施形態と同様の方法で、所定方位に傾斜した柱状構造物１１６ｓを配列させてなる図８（ｄ）または（ｅ）に示す無機配向膜で構成することができる。この場合、上記の斜方蒸着法によって配向膜１１６′を形成する場合、その蒸着角度としては３０〜４５度の範囲内であることが好ましい。蒸着角度、蒸着材料、膜厚等に依存して、図８（ｄ）の如く液晶分子１３０ｍ’が蒸着方向Ｅｖに傾斜する場合と、図８（ｅ）の如く液晶分子１３０ｍ’が蒸着方向Ｅｖとは反対側に傾斜する場合がある。また、配向膜１１６′の膜厚は５０〜２０００Å程度である。なお、図８（ｂ）に示すように、無機配向層１１６Ａ′を形成した後に、その柱状構造物１１６ｓ′を有機高分子、長鎖アルキル基を有するカップリング剤やアルコールなどで構成される垂直配向剤１１６Ｂ′で被覆したもので構成することもできる。具体例としてはオクタデシルトリエトキシシラン、オクタデカノール等が挙げられる。配向膜１１６′の材質は第１実施形態と同様である。なお、本実施形態の配向膜１２４′は、上記配向膜１１６′と同様に構成できる。
【００４９】
本実施形態において、液晶は負の誘電異方性を有する液晶分子を主として構成されている。そして、図７の左半部に示すように、液晶分子１３０ｍ′の初期配向状態は、配向膜１１６′及び１２４′によってほぼ垂直方向に配向している。
【００５０】
素子基板１１０′上の液晶分子１３０ｍ′のプレティルト角θ１は８５度以上９０度未満の範囲内であり、好ましくは８７度より大きく、８９度より小さい範囲である。このプレティルト角θ１が上記範囲を下回ると、電界無印加状態における光変調が生じ、例えば、ノーマリーホワイトモードであれば透過率が低下し（白表示の白色度が低下し）、ノーマリーブラックモードであれば光漏れが生じる（黒表示の黒色度が低下する）ので、コントラストが悪化する。一方、上記範囲を越えると、電界印加時において液晶分子１３０ｍ′の倒伏方向を規制することができなくなるので、リバースチルトドメインが発生するなど、液晶にディスクネーションが発生し、やはりコントラストが悪化する。また、プレティルト角θ１が上記範囲を上回ると、電界印加時において液晶分子１３０ｍ′が倒伏しにくくなるので、隣接画素電極との間に生ずる横電界Ｅｔによる影響を受けやすくなり、その結果、液晶のディスクリネーションが発生しやすくなるという面もある。
【００５１】
一方、対向基板１２０側のプレティルト角θ２は、一般には８０度以上９０度未満の範囲内であればよい。また、上記素子基板側のプレティルト角θ１とほぼ同じ値であっても構わない。
【００５２】
本実施形態において、蒸着角度を４５度として斜方蒸着法により無機材料ＳｉＯ2を用いて配向膜１１６′，１２４′を形成した。このパネル構造では、プレティルト角θ１及びθ２はいずれも約８８度となった。液晶分子が、配向膜を形成する際の蒸着方向に傾斜する図８（ｄ）の構造が得られている。このパネル構造では、プレティルト角θ１を９０度、θ２を８４度とし、他の条件は上記と同一に構成したパネル構造に較べると、コントラスト比が約４０％向上した。
また、蒸着角度を３０度として斜方蒸着法により無機材料ＳｉＯ2を用いて配向膜１１６′，１２４′を形成した。このパネル構造では、プレティルト角θ１及びθ２はいずれも約８７度となった。液晶分子が、配向膜を形成する際の蒸着方向と反対側に傾斜する図８（ｄ）の構造が得られている。このパネル構造では、プレティルト角θ１を９０度、θ２を８４度とし、他の条件は上記と同一に構成したパネル構造に較べると、コントラスト比が約３５％向上した。
【００５３】
［第３実施形態］
次に、図１１及び図１２を参照して本発明に係る第３実施形態として上記の電気光学装置の実施形態を搭載した電子機器について説明する。この実施形態では、上記液晶装置１００を表示手段として備えた電子機器について説明する。ただし、他の実施形態も液晶装置１００と同様に本実施形態に適用することができる。
【００５４】
図１１は、本実施形態の電子機器における液晶表示装置１００に対する制御系（表示制御系）の全体構成を示す概略構成図である。ここに示す電子機器は、表示情報出力源１１１０と、表示情報処理回路１１２０と、電源回路１１３０と、タイミングジェネレータ１１４０と、光源制御回路１１５０とを含む表示制御回路１１００を有する。また、上記電気光学装置１００には、上述の構成を有する液晶表示パネル１００Ｐと、この液晶表示パネル１００Ｐを駆動する駆動回路１００Ｄが設けられている。この駆動回路１００Ｄは、液晶表示パネル１００Ｐに直接実装されている電子部品（半導体ＩＣなど）、パネル表面上に形成された回路パターン、或いは、液晶パネルに導電接続された回路基板に実装された半導体ＩＣチップ若しくは回路パターンなどによっても構成することができる。さらに、液晶表示装置１００は、上記液晶表示パネル１００Ｐの背後に配置されるバックライト等の照明手段１４０を備えている。
【００５５】
表示情報出力源１１１０は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ１１４０によって生成された各種のクロック信号に基づいて、所定フォーマットの画像信号等の形で表示情報を表示情報処理回路１１２０に供給するように構成されている。
【００５６】
表示情報処理回路１１２０は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路１００Ｄへ供給する。駆動回路１００Ｄは、走査線駆動回路、信号線駆動回路及び検査回路を含む。また、電源回路１１３０は、上述の各構成要素にそれぞれ所定の電圧を供給する。
【００５７】
光源制御回路１１５０は、外部から導入される制御信号に基づいて、電源回路１１３０から供給される電力をバックライト１４０の光源部１４１に供給する。光源部１４１から放出された光は導光板１４２に入射して導光板１４２から電気光学パネル１００Ｐに照射される。この光源制御回路１１５０は、上記制御信号に応じて光源部１４１の各光源の点灯／非点灯を制御する。また、各光源の輝度を制御することも可能である。
【００５８】
図１２は、本発明に係る電子機器の一実施形態である携帯電話の外観を示す。この電子機器１０００は、操作部１００１と、表示部１００２とを有し、表示部１００２の筐体内部に回路基板１００３が配置されている。回路基板１００３上には上記の液晶表示装置１００が実装されている。そして、表示部１００２の表面において上記液晶パネル１００Ｐの表示画面を視認できるように構成されている。
【００５９】
［第４実施形態］
最後に、上記液晶装置を用いた他の電子機器の一例として、液晶プロジェクタ（投射型表示装置）の実施形態について説明する。例えば、カラー液晶プロジェクタ（投射型表示装置）例えばカラー液晶プロジェクタ（投射型表示装置）に適用することができる。その場合、３枚の液晶装置がＲＧＢ用のライトバルブとして各々用いられ、各ライトバルブには各々ＲＧＢ色分解用のダイクロイックミラーを介して分解された各色の光が投射光として各々入射されることになる。したがって、上記実施形態では、対向基板にカラーフィルタは設けられていない。しかしながら、第２遮光膜２３の形成されていない画素電極に対向する所定の領域にＲＧＢのカラーフィルタをその保護膜とともに、対向基板上に形成してもよい。このようにすれば、液晶プロジェクタ以外の直視型や反射型のカラー液晶テレビなどのカラー液晶装置に各実施形態の液晶装置を適用することができる。
【００６０】
図１４は、上記の投射型表示装置９００の概略構成図である。図１４に示すように、投射型表示装置９００は、上述した実施形態の液晶装置を３個用意し、夫々ＲＧＢ用の液晶装置１００Ｒ、１００Ｇおよび１００Ｂとして用いた投射型表示装置の光学系の概略構成図を示す。本例の投射型表示装置の光学系には、光源９２０と、照明光学系９２３が採用されている。そして、投射型表示装置は、この均一照明光学系９２３から出射される光束Ｗを赤（Ｒ）、緑（Ｇ）、青（Ｂ）に分離する色分離手段としての色分離光学系９２４と、各色光束Ｒ、Ｇ、Ｂを変調する変調手段としての３つのライトバルブ９２５Ｒ、９２５Ｇ、９２５Ｂと、変調された後の色光束を再合成する色合成手段としての色合成プリズム９１０と、合成された光束を投射面５０の表面に拡大投射する投射手段としての投射レンズユニット９０６を備えている。また、青色光束Ｂを対応するライトバルブ９２５Ｂに導く導光系９２７をも備えている。
【００６１】
照明光学系９２３は、２つのレンズ板９２１、９２２と反射ミラー９３１を備えており、反射ミラー９３１を挟んで２つのレンズ板９２１、９２２が直交する状態に配置されている。照明光学系９２３の２つのレンズ板９２１、９２２は、それぞれマトリクス状に配置された複数の矩形レンズを備えている。光源９２０から出射された光束は、第１のレンズ板９２１の矩形レンズによって複数の部分光束に分割される。そして、これらの部分光束は、第２のレンズ板９２２の矩形レンズによって３つのライトバルブ９２５Ｒ、９２５Ｇ、９２５Ｂ付近で重畳される。したがって、照明光学系９２３を用いることにより、光源装置９２０が出射光束の断面内で不均一な照度分布を有している場合でも、３つのライトバルブ９２５Ｒ、９２５Ｇ、９２５Ｂを均一な照明光で照明することが可能となる。
【００６２】
各色分離光学系９２４は、青緑反射ダイクロイックミラー９４１と、緑反射ダイクロイックミラー９４２と、反射ミラー９４３から構成される。まず、青緑反射ダイクロイックミラー９４１において、光束Ｗに含まれている青色光束Ｂおよび緑色光束Ｇが直角に反射され、緑反射ダイクロイックミラー９４２の側に向かう。赤色光束Ｒはこのミラー９４１を通過して、後方の反射ミラー９４３で直角に反射されて、赤色光束Ｒの出射部９４４から色合成プリズム９１０の側に出射される。偏光板、位相差板などの光学変調フィルム類は、必要に応じて光路内の任意の位置に挿入される。
【００６３】
次に、緑反射ダイクロイックミラー９４２により、青緑反射ダイクロイックミラー９４１において反射された青色、緑色光束Ｂ、Ｇのうち、緑色光束Ｇのみが直角に反射されて、緑色光束Ｇの出射部９４５から色合成光学系の側に出射される。緑反射ダイクロイックミラー９４２を通過した青色光束Ｂは、青色光束Ｂの出射部９４６から導光系９２７の側に出射される。本例では、照明光学素子の光束Ｗの出射部から、色分離光学系９２４における各色光束の出射部９４４、９４５、９４６までの距離がほぼ等しくなるように設定されている。
【００６４】
色分離光学系９２４の赤色、緑色光束Ｒ、Ｇの出射部９４４、９４５の出射側には、それぞれ集光レンズ９５１、９５２が配置されている。したがって、各出射部から出射した赤色、緑色光束Ｒ、Ｇは、これらの集光レンズ９５１、９５２に入射して平行化される。
【００６５】
このように平行化された赤色、緑色光束Ｒ、Ｇは、ライトバルブ９２５Ｒ、９２５Ｇに入射して変調され、各色光に対応した画像情報が付加される。すなわち、これらの液晶装置は、図示しない駆動手段によって画像情報に応じてスイッチング制御されて、これにより、ここを通過する各色光の変調が行われる。一方、青色光束Ｂは、導光系９２７を介して対応するライトバルブ９２５Ｂに導かれ、ここにおいて、同様に画像情報に応じて変調が施される。なお、本例のライトバルブ９２５Ｒ、９２５Ｇ、９２５Ｂは、それぞれさらに入射側偏光手段９６０Ｒ、９６０Ｇ、９６０Ｂと、出射側偏光手段９６１Ｒ、９６１Ｇ、９６１Ｂと、これらの間に配置された液晶装置１００Ｒ、１００Ｇ、１００Ｂとからなる液晶ライトバルブである。
【００６６】
導光系９２７は、青色光束Ｂの出射部９４６の出射側に配置した集光レンズ９５４と、入射側反射ミラー９７１と、出射側反射ミラー９７２と、これらの反射ミラーの間に配置した中間レンズ９７３と、ライトバルブ９２５Ｂの手前側に配置した集光レンズ９５３とから構成されている。このように集光レンズ９５４から出射された青色光束Ｂは、導光系９２７を介して液晶装置１００Ｂに導かれて変調される。各色光束の光路長、すなわち、光束Ｗの出射部から各液晶装置１００Ｒ、１００Ｇ、１００Ｂまでの距離は青色光束Ｂが最も長くなり、したがって、青色光束の光量損失が最も多くなる。しかし、導光系９２７を介在させることにより、光量損失を抑制することができる。
【００６７】
各ライトバルブ９２５Ｒ、９２５Ｇ、９２５Ｂを通って変調された各色光束Ｒ、Ｇ、Ｂは、色合成プリズム９１０に入射され、ここで合成される。そして、この色合成プリズム９１０によって合成された光が投射レンズユニット９０６を介して所定の位置にある投射面５０の表面に拡大投射されるようになっている。
【００６８】
本例において、液晶装置１００Ｒ、１００Ｇ、１００Ｂは、上記各実施形態のいずれの液晶装置で構成することもできる。上記実施形態の液晶装置を用いたことにより表示不良やコントラスト比の低下がなく、表示品位の高い投射型表示装置を実現することができる。
【図面の簡単な説明】
【００６９】
【図１】本発明の第１実施形態のパネル構造を示す平面透視図。
【図２】本発明の第１実施形態のパネル構造を示す縦断面図。
【図３】第１実施形態のパネル構造を拡大して示す拡大部分断面図。
【図４】第１実施形態のパネル構造の素子基板の平面配置図。
【図５】第１実施形態の素子基板の等価回路図。
【図６】第１実施形態の液晶セル構造を模式的に示す説明図。
【図７】第２実施形態の液晶セル構造を模式的に示す説明図。
【図８】配向膜の構造を模式的に示す概略断面図（ａ）、（ｂ）、（ｃ）、（ｄ）及び（ｅ）。
【図９】１Ｈ反転駆動方式の説明図（ａ）及び（ｂ）。
【図１０】フレーム反転駆動方式の説明図（ａ）及び（ｂ）。
【図１１】電子機器の概略構成図。
【図１２】電子機器の外観斜視図。
【図１３】斜方蒸着法を示す説明図。
【図１４】投射型表示装置の概略構成図。
【符号の説明】
【００７０】
１００…液晶装置、１１０…素子基板、１１１…基板、１１２…ＴＦＴ、１１３…絶縁層、１１５…画素電極、１１６…配向膜、１１７…走査線、１１８…データ線、１２０…対向基板、１２１…基板、１２２…遮光膜、１２３…対向電極、１２４…配向膜、１３…シール材、１３ａ…液晶注入口、１３０…液晶、１３０ｍ…液晶分子、θ１，θ２…プレティルト角、Ｅｐ…縦電界、Ｅｔ…横電界。
【図１】
2005173544.tif 000003
【図２】
2005173544.tif 000004
【図３】
2005173544.tif 000005
【図４】
2005173544.tif 000006
【図５】
2005173544.tif 000007
【図６】
2005173544.tif 000008
【図７】
2005173544.tif 000009
【図８】
2005173544.tif 000010
【図９】
2005173544.tif 000011
【図１０】
2005173544.tif 000012
【図１１】
2005173544.tif 000013
【図１２】
2005173544.tif 000014
【図１３】
2005173544.tif 000015
【図１４】
2005173544.tif 000016